(57)【要約】【課題】電源付きのテーブルにおいて、使い勝手が良くて構造も簡単なテーブルを提供する。【解決手段】天板１の後端と幕板３の状態との間に人の手先を挿入できる程度の大きさの空間１５が空いている。幕板３は補強フレーム８に引っ掛けられたハンガー板９で吊支されており、ハンガー板９は、垂線が空間１５の方向を向いている傾斜部９ｂを有する。傾斜部９ｂに、マグネット式等のコンセント（テーブルタップ）１８を配置している。コンセント１８の差し込み口は空間１５に向いているため、プラグ１９の抜き差しをごく簡単に行える。ハンガー板９をコンセントの取付けに利用するものであるため、構造も簡単で耐久性も高い。【選択図】図４
2015104519.tif 000002
【特許請求の範囲】
【請求項１】
天板とこれを支える脚装置、及び前記天板の後端部の下方に配置した幕板を備えており、前記天板の後端と幕板の上端との間には人の手先を差し入れできる程度の空間が空いている構成であって、
前記幕板はその上端部に固定したハンガー板で吊支されており、前記ハンガー板は、前記幕板の上端部から上向きに立ち上がって上に行くほど天板の前端側に近づく傾斜部を備えている、
テーブル。
【請求項２】
前記ハンガー板の少なくとも前記傾斜部は、マグネット式のコンセントを固定可能な金属素材によって形成される、
請求項１に記載したテーブル。
【請求項３】
前記脚装置は４本の棒状脚を有するフレーム構造であって、当該脚装置の上部でかつ後部には左右横長の補強フレームを設けており、前記ハンガー板を前記補強フレームに取り付けている一方、前記幕板は前記脚装置の後端面に重なっている、
請求項１又は２に記載したテーブル。
【発明の詳細な説明】
【技術分野】
【０００１】
本願発明は、幕板（正確には後ろ幕板）を備えたテーブルに関するものである。
【背景技術】
【０００２】
会議室や講義室などに設置されることが多いテーブルでは、天板の後端部下方に目隠し用の幕板を配置していることが殆どである。また、テーブルではパソコンのような電子機器を使用することが多いため、電源ケーブルやコンセントを収納できるダクトを設けることも行われている。
【０００３】
の例として特許文献１には、幕板をリンクで天板に取り付けることで、幕板と天板との間の間隔を広げることができるようにすると共に、リンクに配線ダクトを取り付けて、幕板と天板との間隔が広がると、配線ダクトが天板と幕板との間の空間に向けて開口した姿勢となるようにしたテーブルが開示されている。
【先行技術文献】
【特許文献】
【０００４】
【特許文献１】特開２０１３−１５３７７５号公報
【発明の概要】
【発明が解決しようとする課題】
【０００５】
さて、テーブルを使用している人がパソコンのような電子機器を使用する場合、必要とするのは電源であり、電子機器に付属しているケーブルのブラグをコンセント（テーブルタップ）に接続できたらよい。
【０００６】
従って、通常は、テーブルにはコンセントを配置していたら十分であり、かつ、コンセントにプラグを簡単に抜き差しできることが要請される。更に述べると、この種のテーブルは前後に並べたスクール形式で使用することも多く、この場合は、人はテーブルの前に行きにくいため、身体を前にずらして手を伸ばしただけで（或いは立って前屈みになっただけで）、プラグをコンセントに抜き差しできるのが好ましい。
【０００７】
しかし、特許文献１の構成では、一々幕板を下向きに移動させないと配線ダクトに手を差し入れることができないため、プラグの抜き差しは非常に厄介である。また、特許文献１では、幕板を下向き動させると、配線ダクトは後ろに移動しつつ空間に向けて開口するため、配線ダクトが空間から遠ざかる傾向を呈しており、このため、プラグの抜き差しは一層厄介なものとなる。
【０００８】
また、特許文献１のものは構造が複雑で、コストが嵩むおそれもあるし、配線ダクトに人の足が当たる等してリンクが変形すると、幕板を下向き動させることができなくなるおそれもある。
【０００９】
本願発明はこのような現状を改善すべく成されたものであり、プラグの抜き差しが容易で構造も簡単である等の改良されたテーブルを提供することを目的するものである。
【課題を解決するための手段】
【００１０】
本願発明は様々の構成を含んでおり、その例を各請求項で特定している。この請求項１の発明は上位概念を成すもので、天板とこれを支える脚装置、及び前記天板の後端部の下方に配置した幕板を備えており、前記天板の後端と幕板の上端との間には人の手先を差し入れできる程度の空間が空いている構成であって、前記幕板はその上端部に固定したハンガー板で吊支されており、前記ハンガー板は、前記幕板の上端部から上向きに立ち上がって上に行くほど天板の前端側に近づく傾斜部を備えている。
【００１１】
請求項２の発明は、請求項１において、前記ハンガー板の少なくとも前記傾斜部は、マグネット式のコンセントを固定可能な金属素材によって形成されている。
【００１２】
請求項３の発明は、請求項１又は２において、前記脚装置は４本の棒状脚を有するフレーム構造であって、当該脚装置の上部でかつ後部には左右横長の補強フレームを設けており、前記ハンガー板を前記補強フレームに取り付けている一方、前記幕板は前記脚装置の後端面に重なっている。
【発明の効果】
【００１３】
本願発明では、ハンガー板の傾斜部にコンセントを設けておくと、天板と幕板との間の空間からプラグを簡単に抜き差しできる。従って、テーブルの使用者は腰掛けたままで上半身を前に倒したり、立って少し前屈みになったりするだけで、プラグをコンセントに簡単に抜き差しすることができる。
【００１４】
或いは、ハンガー板の傾斜部に設けたコンセントを机上に取り出して、プラグを抜き差してからハンガー板に戻すということも簡単に行える。いずれにしても、コンセントへのプラグの抜き差しを簡単に行えるのであり、従って、使い勝手がよい。
【００１５】
しかも、ハンガー板は固定式であって可動部材は存在しないため、部材の損傷や変形によってプラグの抜き差しが不能になるといった問題は皆無であり、この面でも使い勝手がよい。また、ハンガー板か遮蔽部材の役割を果たすため、天板と幕板との間に空間が空いていても使用者を隠す機能が悪化することはない。更に、幕板を取り付けるためのハンガー板をコンセント等の取付けに利用するものであるため、コストも抑制できる。
【００１６】
ハンガー板は樹脂製品を使用することも可能であるが、請求項２の構成では、傾斜部の任意の部位にマグネット式のコンセントを固定できるため、使い勝手が非常によい。
【００１７】
請求項３の構成を採用すると、補強フレームを利用してハンガー板を取付けできるため、構造を一層簡単化してコスト抑制に貢献できる。しかも、幕板は脚装置の後面に重なっているため、ハンガー板で吊支しただけであっても高い安定性を保持できる。
【図面の簡単な説明】
【００１８】
【図１】実施形態に係るテーブルの外観図であり、（Ａ）は手前から見た斜視図、（Ｂ）は後ろから見た斜視図である。
【図２】（Ａ）は分離斜視図、（Ｂ）は下方から見た斜視図である。
【図３】（Ａ）はテーブルの分離斜視図、（Ｂ）はハンガー板の斜視図である。
【図４】（Ａ）は天板を水平姿勢にした状態での要部側面図、（Ｂ）は天板を跳ね上げた状態での要部側面図、（Ｃ）は幕板の触れ止めの一例を示す部分斜視図である。
【発明を実施するための形態】
【００１９】
(1).テーブルの概要
次に、本願発明の実施形態を図面に基づいて説明する。まず、テーブルの概要を説明する。図１〜３のとおり、テーブルは、平面視四角形（長方形）の天板１とこれを支持する脚装置２、及び、脚装置２の背面に配置した幕板３とを備えている。
【００２０】
脚装置２は、天板１のコーナー寄り部位に配置された２本ずつの前脚４及び後ろ脚５と、前脚４と後ろ脚５とをその上部において連結する前後長手のサイドフレーム６と、左右の後ろ脚５の上端に連結された左右横長のリアフレーム（軸受けフレーム）７と、左右サイドフレーム６の後端寄り部位に連結された左右横長の補強フレーム８とを備えている。
【００２１】
前足４の左右間隔よりも後ろ脚５の左右間隔を狭くすることで、天板１を上向きに跳ね上げ回動させたらテーブルを前後にスタッキングすることができる。補強フレーム８には金属板製のハンガー板９が固定されており、ハンガー板９に幕板３が固定されている。
【００２２】
各脚４，５は中空円形であり、各脚４，５の下端にはキャスター１０を設けている。天板１はリアフレーム７の左右外側に張り出しており、図２に示すように、天板１の下面のうちリアフレーム７の左右外側に張り出した箇所に、枢支ブラケット１１をビスで固定している。図３（Ａ）のとおり、枢支ブラケット１１にはリアフレーム７に回転自在に嵌まるボス部１１ａを設けており、ボス部１１ａに装着したトーションバー（図示せず）により、天板１は跳ね上げ回動方向に付勢されている。
【００２３】
例えば図２に示すように、天板１の下面のうち前脚４の上の箇所には、前脚４に上から載るフロントブラケット１２がボルトで固定されており、フロントブラケット１２に、前脚４の軸心回りに水平回動するレバー１３を取付けている。レバー１３は前脚４から左右内側に向いており、手前に引いて回動させると、前脚４に対する天板１の係合（ロック）がが解除されて、天板１はトーションバーのばね力によって図４（Ｂ）のような傾斜姿勢に跳ね上げられる（フロントブラケット１２が前脚４から離脱する。）。
【００２４】
(2).幕板及びハンガー板
次に、幕板３とハンガー板９とを説明する。幕板３は木製であって、天板１の後端部の下方に鉛直姿勢で配置しており、図４に明示するように、ハンガー板９の上端と幕板３の後端との間には、人の手先（拳）を挿入できる程度の上下間隔の隙間１５が空いている。また、幕板３の後面は後ろ脚５の後面に当接している。図４（Ｃ）に示すように、幕板３のバタ付き防止のため、後ろ脚５の前面に重なる押さえ具１６を幕板３にビスで固定することも可能である（従って、幕板３は後ろ脚５には固定されていない。）。
【００２５】
ハンガー板９は鋼板製であり、前端部が補強フレーム８に上から引っ掛けられているが、補強フレーム８は幕板３よりもかなり手前に位置しかつ幕板３の上端よりも上に位置しているので、ハンガー板９は、水平部９ａと、その後端から斜め下向きに延びる傾斜部９ｂとを有しており、傾斜部９ｂの後端に設けた垂下部９ｃを幕板３の上端部の前面にビス１７で固定している。水平部９ａの前端には、補強フレーム８の前面に重なる傾きの鉤部９ｄを曲げ形成しており、このため、ハンガー板９及び幕板３は後ろ向きに移動不能に保持されている。
【００２６】
傾斜部９ｂは、上に行くほど天板１の手前にずれるように、側面視で水平及び鉛直線に対して略４５度程度の角度で傾斜しており、垂線が空間１５の方向に向いている。そして、傾斜部９ｂにマグネット式等のコンセント１８を取り付けることができる。傾斜部９ｂの下端は幕板３の上端面よりも若干の寸法Ｓだけ下に位置しており、このため、コンセント１７は単に傾斜部９ｂに重ねただけでも外れ落ちることはない。すなわち、幕板３が、コンセント１７の脱落防止部材の役割を果たしている。また、幕板３の上端部と傾斜部９ｂとで形成されたＶ字状の溝にケーブルを保持できるため、ケーブルの垂れ落ちを防止してケーブルを美麗に処理することもできる。
【００２７】
空間１５には人の手先を差し込みできるので、プラグ１９をコンセント１８にごく簡単に抜き差しできる。或いは、コンセント１８を机上に引き上げてプラグ１９を抜き差しし、それからコンセント１８を傾斜部９ｂの箇所に戻すといったことも簡単に行える。図４（Ａ）に一点鎖線で示すように、左右のサイドフレーム６の間に、ハンガー板９の水平部９ａの後端部を支持する補助フレーム２０を装架することも可能である。
【００２８】
人の足で幕板３が上向きに蹴られることがあるが、その場合の幕板３のずり上がり防止手段としては、図４（Ａ）に一点鎖線で示すように、ハンガー板９の前端部に、補強フレーム８の下面に重なる抱持片９ｅを設けたり、図４（Ｂ）に一点鎖線で示すように、補強フレーム８に下かから重なるクランプ部材２１をねじ２２で固定したり、或いは、図４に二点で示すように、サイドフレーム６の下面に重なるストッパー片２３を設けたりしたらよい。
【００２９】
抱持片９ｅは、例えばハンガー板９の左右両端部のみに設けるなど、左右幅は僅かで足りる。クランプ部材２１も左右横幅が小さいものを１カ所又は複数箇所に設けたら足りる。ストッパー片２３は溶接で固定していてもよいし、ビスで後付けしてもよい。ストッパー片２３を予めサイドフレーム６に溶接で固定しておいて、ビスでハンガー板９に固定することも可能である。或いは、ストッパー片２３を、ハンガー板９の水位部９ａに上から当たる状態で予めサイドフレームに固定しておいてもよい。
【００３０】
以上、本願発明の実施形態を説明したが、本願発明は他にも具体化できる。例えば適用対象たるテーブルは折り畳み式には限らず、天板が固定されたタイプのテーブルにも適用できる。また、折り畳み式に適用する場合、ばね手段を使用せずに手動で跳ね上げる方式のものにも適用できるこというまでもない。
【００３１】
実施形態ではハンガー板は補強フレームに取り付けたが、ハンガー板の左右両側にブラケット片を設けて、これをサイドフレームに上から引っ掛けるといったことも可能である（サイドフレームに左右内向きのブラケットを溶接等で固定して、これにハンガー板の左右端部を上から引っ掛けてもよい。）。天板が固定式の場合は、天板にビス等で固定することも可能である。脚装置は棒脚を有するフレーム構造である必要はなく、板状の脚体を備えたタイプにも適用できる。
【００３２】
ハンガー板のうち傾斜部のみを鋼板で構成してマグネット式のコンセントを固定できるようにしたり、ハンガー板を木製として傾斜部に鋼板やニッケル板等の磁性体製板材を張ることでマグネット式コンセントを固定できるようにしたりすることも可能である。
【産業上の利用可能性】
【００３３】
本願発明は、テーブルに具体化できる。従って、産業上利用できる。
【符号の説明】
【００３４】
１  天板
２  脚装置
３  幕板
５  後ろ脚
６  サイドフレーム
７  リアフレーム
８  補強フレーム
９  幕板
９ａ  水平部
９ｂ  傾斜部
９ｃ  垂下部
１５  空間
１８  コンセント（テーブルタップ）
１９  プラグ
【図１】
2015104519.tif 000003
【図２】
2015104519.tif 000004
【図３】
2015104519.tif 000005
【図４】
2015104519.tif 000006